(57)【要約】【課題】本発明は、安定した調整状態を容易に実現することができる眼鏡及び眼鏡の調整方法を提供することを目的とするものである。【解決手段】眼鏡１は、一対のレンズを保持するフロント部材１０と、フロント部材１０の両側に取り付けられた一対の調整部材１２を介して連結された一対のテンプル部材１１とを備えており、調整部材１２は、フロント部材１０に連結された調整部１２ａと、調整部１２ａに接続固定されるとともにテンプル部材１１に連結された支持部１２ｂとを備えており、支持部１２ｂは、調整部１２ａよりも高強度の材料を用いて形成されている。【選択図】図１
2020027183.tif 000002
【特許請求の範囲】
【請求項１】
一対のレンズを保持するフロント部材と、前記フロント部材の両側に取り付けられた一対の調整部材を介して連結された一対のテンプル部材とを備えている眼鏡であって、前記調整部材は、前記フロント部材に連結された調整部と、前記調整部に接続固定されるとともに前記テンプル部材に連結された支持部とを備えており、前記支持部は、前記調整部よりも高強度の材料を用いて形成されている眼鏡。
【請求項２】
前記調整部は、前記フロント部材にヒンジを介して連結されており、前記支持部は、前記テンプル部材にヒンジを介して連結されている請求項１に記載の眼鏡。
【請求項３】
前記調整部は、Ｕ字状に形成されて所定の間隔を空けて上下に配置された一対の保持部材からなるとともに一方の端部に前記フロント部材に連結するフロント側連結部が一体形成されて他方の端部に固定部が一体形成されており、前記支持部は、棒状に形成されて前記保持部材の間に横切るように挿入されるとともに一方の端部が前記固定部に接続固定されて他方の端部に前記テンプル部材に連結するテンプル側連結部が形成されている請求項２に記載の眼鏡。
【請求項４】
一対のレンズを保持するフロント部材と、前記フロント部材の両側に取り付けられた一対の調整部材を介して連結された一対のテンプル部材とを備えている眼鏡の調整方法であって、前記フロント部材に連結された調整部及び当該調整部に接続固定されて前記テンプル部材に連結されるとともに当該調整部よりも高強度の材料を用いて形成された支持部を備える前記調整部材に対して当該調整部を変形させて前記テンプル部材の左右方向の開き角度及び前記フロント部材に対する前傾角度を調整する眼鏡の調整方法。
【請求項５】
前記調整部材は、前記フロント部材に直接連結された前記テンプル部材を外して取り付ける請求項４に記載の眼鏡の調整方法。
【発明の詳細な説明】
【技術分野】
【０００１】
本発明は、着用者に合わせて眼鏡部材の調整を容易に行うことができる眼鏡及び眼鏡の調整方法に関する。
【背景技術】
【０００２】
眼鏡は、複数の眼鏡部材を組み合せて構成されており、着用者の頭部の形状や眼の位置等に合わせて眼鏡部材の調整を行うことで、着用感の向上が図られている。例えば、鼻パッドの取付位置の調整やフロント部分及びテンプル部分の調整といった眼鏡部材の調整を行うことで、着用者に合った眼鏡を構成している。
【０００３】
こうした眼鏡部材の調整を容易にするために、調整用の部材を取り付けることが提案されている。例えば、特許文献１では、ヨロイを前ヨロイ及び後ヨロイで構成し、前ヨロイと後ヨロイを連結して連結する角度を変化させることでツルの開き角度を調整する点が記載されている。また、高弾性テンプルを煽りブラケットの自由端側に部分的に接続し、接続部から高弾性テンプルのストレッチ部を設けてストレッチ部において煽りブラケットの自由端側を押し開きする方向へ復元弾力が働くように撓曲させた状態に設定した点が記載されている。また、特許文献３では、樹脂製ヨロイ部品の中間部に水平方向の開閉角度を調整できる手段及びその調整された角度を固定する手段とを設けた点が記載されている。
【先行技術文献】
【特許文献】
【０００４】
【特許文献１】特開２００１−１０８９４６号公報
【特許文献２】特開２００１−１４７４０５号公報
【特許文献３】特開２００２−１８９１９７号公報
【発明の概要】
【発明が解決しようとする課題】
【０００５】
特許文献１では、前ヨロイ及び後ヨロイをネジ止めにより連結するようにしているため、調整した状態でネジ止めした場合にネジが緩んでくると調整した状態が変化する可能性がある。特許文献２では、高弾性テンプルの変形状態が一定しないため安定した調整状態を実現することが難しい。特許文献３では、調整した状態をネジ止めにより固定するようにしているが、ネジが緩んでくることは避けられず、安定した調整状態を実現することが難しい、といった課題がある。
【０００６】
そこで、本発明は、安定した調整状態を容易に実現することができる眼鏡及び眼鏡の調整方法を提供することを目的とするものである。
【課題を解決するための手段】
【０００７】
本発明に係る眼鏡は、一対のレンズを保持するフロント部材と、前記フロント部材の両側に取り付けられた一対の調整部材を介して連結された一対のフロント部材とを備えている眼鏡であって、前記調整部材は、前記フロント部材に連結された調整部と、前記調整部に接続固定されるとともに前記テンプル部材に連結された支持部とを備えており、前記支持部は、前記調整部よりも高強度の材料を用いて形成されている。さらに、前記調整部は、前記フロント部材にヒンジを介して連結されており、前記支持部は、前記テンプル部材にヒンジを介して連結されている。さらに、前記調整部は、Ｕ字状に形成されて所定の間隔を空けて上下に配置された一対の保持部材からなるとともに一方の端部に前記フロント部材に連結するフロント側連結部が一体形成されて他方の端部に固定部が一体形成されており、前記支持部は、棒状に形成されて前記保持部材の間に横切るように挿入されるとともに一方の端部が前記固定部に接続固定されて他方の端部に前記テンプル部材に連結するテンプル側連結部が形成されている。
【０００８】
本発明に係る眼鏡の調整方法は、一対のレンズを保持するフロント部材と、前記フロント部材の両側に取り付けられた一対の調整部材を介して連結された一対のフロント部材とを備えている眼鏡の調整方法であって、前記フロント部材に連結された調整部及び当該調整部に接続固定されて前記テンプル部材に連結されるとともに当該調整部よりも高強度の材料を用いて形成された支持部を備える前記調整部材に対して当該調整部を変形させて前記テンプル部材の左右方向の開き角度及び前記フロント部材に対する前傾角度を調整する。さらに、前記調整部材は、前記フロント部材に直接連結された前記テンプル部材を外して取り付ける。
【発明の効果】
【０００９】
本発明は、上記のような構成を有することで、安定した調整状態を容易に実現することができる。
【図面の簡単な説明】
【００１０】
【図１】本発明に係る実施形態である眼鏡に関する概略構成図である。
【図２】調整部材に関する斜視図である。
【図３】調整部材の調整動作に関する説明図である。
【図４】調整部材の調整動作に関する説明図である。
【図５】調整部材の調整動作に関する説明図である。
【発明を実施するための形態】
【００１１】
以下、本発明の実施形態を図面を用いて説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る実施形態である眼鏡に関する概略構成図であり、図１（ａ）は眼鏡１に関する平面図、図１（ｂ）は眼鏡１に関する正面図、図１（ｃ）は眼鏡１に関する側面図をそれぞれ示している。
【００１３】
眼鏡１は、一対のレンズを保持するフロント部材１０及びフロント部材１０の両側に取り付けられた一対の調整部材１２を介して一対のテンプル部材１１が連結されている。調整部材１２は、フロント部材１０及びテンプル部材１１にそれぞれヒンジを介して連結されている。
【００１４】
調整部材１２を取り付ける場合、フロント部材１０及びテンプル部材１１を直接ヒンジで連結している通常の眼鏡に対して、ヒンジを外してフロント部材１０及びテンプル部材１１の間に調整部材１２を挿入し、調整部材１２の両側をヒンジで連結することで調整部材１２を簡単に取り付けることができる。そのため、調整部材１２の長さ分だけテンプル部材１１を延長することが可能となり、眼鏡１の両側部分の前後方向の長さを調整することができる。
【００１５】
図２は、調整部材１２に関する斜視図である。調整部材１２は、細幅でＵ字状に形成された一対の保持部材からなる調整部１２ａ及び棒状に形成された支持部１２ｂを備えている。調整部１２ａの一対の保持部材は、所定の間隔を空けて上下に配置されて一方の端部にはヒンジを構成するコマ部となるフロント側連結部１２ｃが一体形成されており、他方の端部には固定部１２ｅが一体形成されている。支持部１２ｂは、調整部１２ａの一対の保持部材の間に横切るように挿入されて一方の端部が固定部１２ｅにろう付け等により接続固定されており、他方の端部にはヒンジを構成するコマ部となるテンプル側連結部１２ｄが形成されている。
【００１６】
調整部１２ａ及び支持部１２ｂは金属材料により成形されており、支持部１２ｂは、調整部１２ａよりも高強度の材料を用いて形成されており、調整部１２ａに比べて変形しにくくなっている。この例では、支持部１２ｂはベータチタン等の高強度の金属材料を用いて形成されており、調整部１２ａよりも断面積が大きくなっている。また、調整部１２ａはチタン等の金属材料を用いて成形されており、支持部１２ｂよりも断面積が小さくなっているため、曲げやねじりといった力に対して支持部１２ｂよりも変形しやすくなっている。
【００１７】
そのため、フロント部材１０側に連結される調整部１２ａは、テンプル部材１１に連結される支持部１２ｂに比べて変形しやすいため、調整部１２ａに曲げやねじりを加えて変形することで、テンプル部材１１の左右方向の開き角度やフロント部材１０に対する前傾角度等を容易に調整することができる。このように、調整部１２ａに比べて支持部１２ｂが高剛性となるように使用する金属材料や形状を適宜設定することで、テンプル部材１１を支持部１２ｂで安定した状態で支持しながら、調整部１２ａにおいてテンプル部材１１のフロント部材１０に対する取付状態をきめ細かく調整することが可能となる。
【００１８】
また、棒状の支持部１２ｂを挟むようにその両側に一対の保持部材からなる調整部１２ａが配設されているので、テンプル部材１１に連結した支持部１２ｂを両側から保持した状態で変形するようになり、変形した調整状態で支持部１２ｂを安定して保持するようになる。
【００１９】
図３から図５は、調整部材１２の調整動作に関する説明図である。まず、調整部材１２の調整部１２ａに対して一対の保持部材を左右両側から挟むように力を加えて（矢印参照）曲げ変形させて固定部１２ｅの位置をフロント部材１０の端部に近接した位置となるように調整する（図３）。このように固定部１２ｅの位置調整を行うことで、固定部１２ｅが外方に突出して何かに不用意に引っ掛かるといったトラブルを回避することができる。
【００２０】
次に、支持部１２ｂの端部が接続固定された固定部１２ｅを把持した状態でテンプル部材１１を左右方向に移動させるように調整部１２ａの保持部材を変形させることでテンプル部材１１の左右方向の開き角度を調整する（図４）。その際に、支持部１２ｂの軸方向を中心に固定部１２ｅを回転させる方向にねじるように調整部１２ａを変形させることでテンプル部材１１の上下方向の開き角度を調整することもできる。
【００２１】
次に、テンプル部材１１を上下方向に移動させてフロント部材１０に対する前傾角度を調整する（図５）。この場合、テンプル部材１１に連結された支持部１２ｂは調整部１２ａよりも高剛性に設定されているため、テンプル部材１１の上下方向の移動により調整部１２ａが変形するようになる。
【００２２】
以上説明したように、調整部材１２を変形することでフロント部材１０に対するテンプル部材１１の取付状態を容易に調整することができ、調整部材１２の変形により調整しているので安定した調整状態を実現することができる。なお、上述した例では、調整部材１２の調整部１２ａは、細幅でＵ字状の保持部材を用いているが、保持部材の形状は特に限定されることはなく、これ以外の形状であってもよい。
【符号の説明】
【００２３】
１・・・眼鏡、１０・・・フロント部材、１１・・・テンプル部材、１２・・・調整部材、１２ａ・・・調整部、１２ｂ・・・支持部、１２ｃ・・・連結部、１２ｄ・・・連結部、１２ｅ・・・固定部
【図１】
2020027183.tif 000003
【図２】
2020027183.tif 000004
【図３】
2020027183.tif 000005
【図４】
2020027183.tif 000006
【図５】
2020027183.tif 000007